【事件の表示】
　特願２００３−　５３３１５「サービス連携方法及びシステム」拒絶査定不服審判事件〔平成１６年　９月２４日出願公開、特開２００４−２６５０１９〕について、次のとおり審決する。
【結　論】
　本件審判の請求は、成り立たない。
【理　由】
第１　手続の経緯
　
　本願は，平成１５年２月２８日の出願であって，平成１８年９月２１日付けで拒絶理由が通知され，同年１１月２７日に手続補正書が提出され，平成１９年６月２２日付けで拒絶査定がされ，これに対し，同年８月１日に審判請求がされるとともに，同年８月３０日に手続補正書が提出されたものである。
　
第２　平成１９年８月３０日に提出された手続補正書による補正（以下「本件補正」という。）についての補正却下の決定
　
補正却下の決定の結論
　
　平成１９年８月３０日付けの手続補正を却下する。
　
理由
　
１　補正の内容
　
　本件補正により，特許請求の範囲は，以下のように変更された。なお，下線は，補正された部分を示すものとして，手続補正書に表示されたものを援用したものである。（審決注：特許請求の範囲において，「局所管理機構」若しくは「局所空間機構」と記載した部分があるが，実質的に「局所空間管理機構」を指すものと解されるところ，表記の統一のため，「局所管理機構」若しくは「局所空間機構」とあるのを「局所空間管理機構」と読み替えることとする。）
　
≪補正前≫
　
「【請求項１】　局所空間内に存在する種々のデバイスと通信を行い、これらのデバイスと
デバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、
　ある局所空間内のＩＣカード使用可能なデバイスが、該ＩＣカードを保持するユーザが連携させて利用したい複数の局所空間内のデバイスを指示する情報を含むサービスシナリオ要求と、ユーザが希望する利用時間とを前記仲介機構へ送る手順と、
　前記仲介機構が、前記サービスシナリオ要求に応答して、前記サービスシナリオ要求で指定された複数のデバイスを管理する複数の局所空間管理機構に対して、ユーザが希望する利用時間情報を条件情報として含む利用権申請を送る手順と、
　前記複数の局所空間管理機構が、前記利用権申請に応答して、前記利用条件情報に含まれる利用時間を用いて該当するデバイスが利用可能か否か確認し、利用可能であれば利利用権を取得して前記仲介機構へ送る手順と、
　前記仲介機構が、前記複数の局所空間管理機構から送られてきた利用権を収集し、該当するデバイスのサービスを連携させるサービスシナリオを生成する手順と、
　前記仲介機構が、生成したサービスシナリオを前記ＩＣカード使用可能なデバイスへ送り、前記ＩＣカードに格納させる手順と、
　前記ＩＣカード使用可能なデバイスが、前記ＩＣカードに格納されたサービスシナリオを前記仲介機構を介して実行してサービスを利用する手順と、
を具えることを特徴とするサービス連携方法。
【請求項２】　前記仲介機構が、生成したサービスシナリオを前記ＩＣカード使用可能なデバイスへ送り、前記ＩＣカードに格納させる手順は、前記ＩＣカード使用可能なデバイスからサービスシナリオ配信要求と一緒にＩＣカードから送られてくるユーザ情報の確認後に、要求されたサービスシナリオを前記局所空間管理機構を介して前記ＩＣカード使用可能なデバイスに配信し、ＩＣカードに格納することを特徴とする請求項１記載のサービス連携方法。
【請求項３】　前記ＩＣカードに格納されたサービスシナリオを実行する手順は、前記ＩＣカード使用可能なデバイスが前記ＩＣカードに格納されたサービスシナリオの実行要求を仲介機構へ送り、仲介機構が該サービスシナリオを構成する種々のデバイスとデバイス上で動作するサービスの利用権を確認し、利用許可をそれぞれの局所空間管理機構を介してそれぞれのデバイスに配信し、それぞれのデバイスとデバイス上で動作するサービスをサービスシナリオに従って操作可能とすることを特徴とする請求項１又は２記載のサービス連携方法。
【請求項４】　局所空間内に存在する種々のデバイスと通信を行い、これらのデバイスとデバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、
　ある局所空間内のＩＣカード使用可能なデバイスが、該ＩＣカードを保持するユーザが連携させて利用したい複数の局所空間内のデバイスを指示する情報を含むサービスシナリオ要求と、ユーザが希望する利用時間とを前記仲介機構へ送る機能を具え、
　前記仲介機構が、前記サービスシナリオ要求に応答して、前記サービスシナリオ要求で指定された複数のデバイスを管理する複数の局所空間管理機構に対して、ユーザが希望する利用時間情報を条件情報として含む利用権申請を送る機能を具え、
　前記局所空間管理機構が、前記利用権申請に応答して、前記利用条件情報に含まれる利用時間を用いて該当するデバイスが利用可能か否か確認し、利用可能であれば利利用権を取得して前記仲介機構へ送る機能を具え、
　前記仲介機構が、更に、前記複数の局所空間管理機構から送られてきた利用権を収集し、該当するデバイスのサービスを連携させるサービスシナリオを生成する機能と、
　生成したサービスシナリオを前記ＩＣカード使用可能なデバイスへ送り、前記ＩＣカードに格納させる機能とを具え、
　前記ＩＣカード使用可能なデバイスが、前記ＩＣカードに格納されたサービスシナリオを前記仲介機構を介して実行する機能を具える、
ことを特徴とするサービス連携ネットワークシステム。
【請求項５】　前記仲介機構が、前記ＩＣカード使用可能なデバイスからサービスシナリオ配信要求と一緒にＩＣカードから送られてくるユーザ情報の確認後に、要求されたサービスシナリオを前記局所空間管理機構を介して前記ＩＣカード使用可能なデバイスに配信し、ＩＣカードに格納することを特徴とする請求項４記載のネットワークシステム。
【請求項６】　前記仲介機構が、前記ＩＣカード使用可能なデバイスから送られた前記ＩＣカードに格納されたサービスシナリオの実行要求に応答して、該サービスシナリオを構成する種々のデバイスとデバイス上で動作するサービスの利用権を確認し、利用許可をそれぞれの局所空間管理機構を介してそれぞれのデバイスに配信し、それぞれのデバイスとデバイス上で動作するサービスをサービスシナリオに従って操作可能とすることを特徴とする請求項４又は５記載のネットワークシステム。」
　
≪補正後≫
　
「【請求項１】　局所空間内に存在する種々のデバイスと通信を行い、これらのデバイスとデバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、
　ある局所空間内のＩＣカード使用可能なデバイスが、ＩＣカードを保持するユーザが連携させて利用したい複数の局所空間内のデバイスを指示する情報
と該ユーザが希望する利用時間をその局所空間内の局所空間管理機構を介して、前記仲介機構に対して送信し、前記仲介機構に対して、該複数の局所空間内のデバイスとデバイス上で動作するサービスの利用可能時間等を含んだ利用権から構成されるサービスシナリオの生成を要求する手順と、
　前記仲介機構が、前記サービスシナリオ
の生成の
指示
局所空間内の
それぞれ
前記サービスシナリオの生成に必要な複数のデバイスまたはデバイス上で動作するサービスの
前記
それぞれの
ユーザが希望する利用時間において、利用権申請されたデバイスまたはデバイス上で動作するサービス
該デバイスまたはデバイス上で動作するサービスのＩＤ情報、サービス情報および利用可能時間等の利用条件情報を含む利用権を取得して、
前記仲介機構が、前記
それぞれの
これらの複数のデバイスとデバイス上で動作するサービスの利用権をまとめた
　
前記ＩＣカード使用可能なデバイスが、前記仲介機構に、ユーザのＩＣカードから取得するユーザ情報とともに、サービスシナリオの配信要求を送信すると、前記仲介機構が、該ユーザ情報の確認後に、局所空間管理機構を介して、生成されたサービスシナリオを該デバイスに配信し、ＩＣカードが該デバイスにより該サービスシナリオを格納する手順と、
　
ＩＣカード使用可能なデバイスが、サービスシナリオを格納しているＩＣカードからサービスシナリオを構成する複数の局所空間内のデバイスおよびデバイス上で動作するサービスの利用権に基づき、局所空間管理機構に対し、サービス利用要求を行うと、該局所空間管理機構が該サービス利用要求を前記仲介機構へ送信し、前記仲介機構は、該複数の利用権を確認し、利用可能な場合に利用許可をそれぞれの局所空間管理機構を介してそれぞれのデバイスに配信することにより、それぞれのデバイスをユーザが該サービスシナリオにしたがって操作することを可能とする手順と、
【請求項２】　局所空間内に存在する種々のデバイスと通信を行い、これらのデバイスとデバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、
　ある局所空間内のＩＣカード使用可能なデバイスが、ＩＣカードを保持するユーザが連携させて利用したい複数の局所空間内のデバイスを指示する情報
と該ユーザが希望する利用時間をその局所空間内の局所空間管理機構を介して、前記仲介機構に対して送信し、前記仲介機構に対して、該複数の局所空間内のデバイスとデバイス上で動作するサービスの利用可能時間等を含んだ利用権から構成されるサービスシナリオの生成を要求する機能を具え、
　前記仲介機構が、前記サービスシナリオ
の生成の
指示
局所空間内の
それぞれ
前記サービスシナリオの生成に必要な複数のデバイスまたはデバイス上で動作するサービスの
前記
それぞれの
ユーザが希望する利用時間において、利用権申請されたデバイスまたはデバイス上で動作するサービス
該デバイスまたはデバイス上で動作するサービスのＩＤ情報、サービス情報および利用可能時間等の利用条件情報を含む利用権を取得して、
前記仲介機構が、前記
それぞれの
これらの複数のデバイスとデバイス上で動作するサービスの利用権をまとめた
　
前記ＩＣカード使用可能なデバイスが、前記仲介機構に、ユーザのＩＣカードから取得するユーザ情報とともに、サービスシナリオの配信要求を送信すると、前記仲介機構が、該ユーザ情報の確認後に、局所空間管理機構を介して、生成されたサービスシナリオを該デバイスに配信し、ＩＣカードが該デバイスにより該サービスシナリオを格納する機能を具え、
　
ＩＣカード使用可能なデバイスが、サービスシナリオを格納しているＩＣカードからサービスシナリオを構成する複数の局所空間内のデバイスおよびデバイス上で動作するサービスの利用権に基づき、局所空間管理機構に対し、サービス利用要求を行うと、該局所空間管理機構が該サービス利用要求を前記仲介機構へ送信し、前記仲介機構は、該複数の利用権を確認し、利用可能な場合に利用許可をそれぞれの局所空間管理機構を介してそれぞれのデバイスに配信することにより、それぞれのデバイスをユーザが該サービスシナリオにしたがって操作することを可能とする機能を具える、
ことを特徴とするサービス連携ネットワークシステム
　
２　本件補正の補正目的の適否 
　
　本件補正は，本件補正前の請求項１，２，４及び５を削除することによって，本件補正前の請求項１を引用する請求項２を引用する請求項３を新たに請求項１とし，請求項４を引用する請求項５を引用する請求項６を新たに請求項２とするとともに，本件補正前の「サービスシナリオ要求」，「利用権申請」，「利用権」及び「サービスシナリオ」についてその構成を限定するものであるから，本件補正は，平成１８年法律第５５号改正附則第３条第１項によりなお従前の例によるとされる同法による改正前の特許法第１７条の２第４項第１号，第２号に規定する請求項の削除，特許請求の範囲の減縮を目的とするものに該当するといえる。
　
　そこで，次に，本件補正後の請求項１に係る発明（以下「本願補正発明」という。）が，特許出願の際独立して特許を受けることができるものであるか （独立特許要件）について，検討する。
　
３　引用例の記載内容と引用発明
　
（１）原査定の拒絶理由に引用された，本願の出願日前に日本国内で頒布された刊行物である「神戸雅一，他，ユビキタスＩＣカードネットワークに関する考察，電子情報通信学会技術研究報告，日本，社団法人電子情報通信学会，２００１年１２月６日，第１０１巻，第５０２号，ｐ６５−７２」（以下「引用例」という。）には，図とともに，次の記載がある。なお，下線は当審で付加したものである。
　
（ア）「３．ユビキタスＩＣカードネットワークの提案
正当な権利を持ったユーザが安全にネットワーク上に存在する資源を利用するためのユビキタスＩＣカードネットワークについて説明する。
３．１
ユビキタスＩＣカードネットワークのシステム構成
本システムは，以下のコンポーネントから構成される。
（1）
コンピューティング資源（ＣｏｍｐｕｔｉｎｇＲｅｓｏｕｒｃｅ：ＣＲ）
（2）
ユビキタスエリアマネージャ（ＵｂｉｑｕｉｔｏｕｓＡｒｅａＭａｎａｇｅｒ：ＵＡＭ）
（3）
メディオマネージャ（ＭｅｄｉｏＭａｎａｇｅｒ：ＭｅＭ）
（4）サービスサーバ
（5）
ユビキタスＩＣカード
以下，各コンポーネントの説明を行う。
　
（1）
コンピューティング資源
　本システム内のコンピューティング資源には，ＰＣやワークステーションなどのいわゆるコンピュータのみならず，携帯電話やＰＤＡといった携帯可能な情報端末や，プリンタやデジタルカメラなどのＰＣ周辺機器，ビデオカメラやビデオデッキと行った情報家電なども含まれる。
本システム内の個々のコンピューティング資源には，「資源ＩＤ」，「資源の名称」，「資源の種別」，「資源の持つ機能」，「資源の利用条件」など資源を識別し管理するために必要な資源情報を管理する機能と，ＵＡＭと通信するための通信機能を所有する。
（2）
ユビキタスエリアマネージャ
本システム内のＵＡＭは，例えば，ユーザのオフィスや出張先のオフィス，ホテルの客室などの局所的空問単位に存在し，その中に存在するコンピューティング資源を管理するために存在する。ＵＡＭは管理対象とする個々のコンピューティング資源の資源情報を管理する機能，自らの空間自体を管理する空間情報管理機能を持つ。また，ＵＡＭの管理対象であるコンピューティング資源の利用権限を定義する情報も併せて管理する。
（3）
メディオマネージャ
本システム内のＭｅＭは，複数存在するＵＡＭと通信を行い
ａ）コンピューティング資源やサービスに関する利用権（トークン）の管理ｂ）コンピューティング資源やサービスの検索
ｃ）ＵＡＭ間でのコンピューティング資源やサービスの利用制御中継を実施する機構である。
（4）サービスサーバ
本システム内のサービスサーバは，いわゆるネットワーク上のＷＷＷサービスを実行するためのサーバであるが，本システム内のＭｅＭを経由してサービスを提供するため，上記ＭｅＭで定義した，サービスの利用権管理，サービスの検索，サービスの利用制御の対象となる。また，本システム内のサーピスサーバは，ユーザがサービスサーバを利用する際のコンテキストを保持する機能を持つ。
（5）
ユビキタスＩＣカード
ユビキタスＩＣカードは，ＩＣカードリーダライタを持つコンピューティング資源を介して，ＵＡＭ，ＭｅＭ，サービスサーバと通信を行う。ＩＣカード内にはユーザがコンピューティング資源やサービスサーバを利用するための利用権となるトークンや，ユーザのＩＤやユーザの所属組織等から構成されるユーザプロファイルを管理する機能を持つ。
　ユビキタスＩＣカードネットワークのシステム構成を図１に示す。」（第６７頁右欄第１７行〜第６８頁右欄第１３行）
　
（イ）「３．２．４ＵＡ間での利用トークン発行
ユビキタスＩＣカードを保持したユーザが，自分のいるＵＡ＃１（例えば出張先のオフィス）から自分がいないＵＡ＃２（例えばプリントサービスセンタ）に存在するコンピューティング資源を利用する場合に，自分がいないＵＡ＃２上のコンピューティング資源に対するトークンをダウンロードする必要がある。ユビキタスＩＣカードを持ったユーザは，ＩＣカードリーダライタと接続されたコンピューティング資源を介して，ユーザがいるＵＡ＃１のＵＡＭ＃１と接続する。ユーザはＭｅＭに対して，ユーザが使用したいＵＡ＃２にあるコンピューティング資源の検索を行う．ＭｅＭはユーザの所望するコンピューティング資源を持つＵＡ＃２の状態を確認し，利用可能であればユーザに対して利用可能である旨を伝え，ＵＡＭ＃２の管理するコンピューティング資源に関する利用権のダウンロードを促す。ユーザは，
ＭｅＭに対してＵＡＭ＃２の管理するコンピューティング資源の利用権の要求を行う。ＭｅＭは内部にあるトークンマネージャを用い，コンピューティング資源を利用できるユーザであることを確認し，利用権であるトークンをユビキタスＩＣカード内にダウンロードする。
　
（ウ）「３．２．６ＵＡ間でのコンピューティング資源の利用
ユビキタスＩＣカードを持ったユーザが，ＵＡ＃１に入場し，ＩＣカードリーダライタを持ったコンピューティング資源とユビキタスＩＣカードとを通信させる。
ユビキタスＩＣカード内のトークンは，コンピューティング資源，ＵＡＭ＃１を介し，ＭｅＭに対して，ＵＡＭ＃２にある利用したいコンピューティング資源の利用を要求する．ＭｅＭは内部の利用権管理機能を用いて要求のあったトークンが正当であるかを，ＵＭＡ＃２と協調して確認し，正当なトークンであれば，ユーザから利用要求のあったＵＡＭ＃２の管理するコンピューティング資源を検索する，コンピューティング資源が利用可能な状態であれば，ユーザは，ＵＡＭ＃１の管理するコンピューティング資源，ＵＡＭ＃１，ＭｅＭ，ＵＡＭ＃２を介してＵＡＭ＃２上に存在する資源を利用することができる。
　
（エ）「４．ユビキタス１Ｃカードネットワークの利用イメージ
上記で説明したユビキタスＩＣカードネットワークの利用イメージを図２に示す。
ここでは，ユーザが自室からサッカー場にあるカメラを制御し，自宅のビデオデッキ内のメディアに映像を録画することを利用例として紹介する。
　
（1）自室のコンピューティング資源の利用許可
ユビキタスＩＣカードを持ったユーザが，自室に入り，ＩＣカードリーダライタの接続されたＰＣに，ユビキタスＩＣカードを差し込む。自室内のコンピューティング資源を管理するＵＡＭ＃１と通信する。ユーザが自室内で利用できるコンピューティング資源は，ＰＣ，ＴＶ，ビデオデッキ，エアコンとユーザ携帯し部屋へ持ち込んだＰＤＡがある。
ＵＡＭ＃１は，ユーザの持つユビキタスＩＣカード内のユーザプロファイルと，すでにユビキタスＩＣカード内に格納されている自室内のコンピューティング資源に対するトークンの確認を行う．ユーザは自室にあるすべてのコンピューティング資源に対して利用権を持っているので，ユビキタスＩＣカード内のトークンをもとにＵＡＭ＃１は，ユーザに対してＵＡＭ＃１の管理するコンピューティング資源に対する利用を許可する。
　
（2）自室のコンピューティング資源のパーソナライズ
ユーザの持つユビキタスＩＣカードには，ユーザがコンピューティング資源を利用した際の利用履歴や嗜好が格納されており，それらユーザコンテキスト情報に基づいてコンピューティング資源のパーソナライズをすることが可能である．本利用例においては，エアコンの設定温度や風量などをユーザの利用履歴に基づいて自動的に設定することと，自室内でのＰＤＡなどの存在する位置をＵＡＭ＃１が検出し，ユーザの位置と定義し，ＴＶの音量の自動的に設定することも可能である。
　
（3）サッカー場にあるカメラの利用権取得
ユーザの持つユビキタスＩＣカードに対して，サッカー場に存在しているビデオカメラを利用するためのトークンを取得するプロセスを説明する。ユーザはＩＣカードと通信しているＰＣから，ＵＡＭ＃１を介してＭｅＭに対してサッカー場のビデオカメラの利用申請を行う。この際，ユーザはＭｅＭ内にあるＵＡディレクトリサービスを用いて利用したい資源を検索する。ＭｅＭはサッカー場の複数のビデオカメラを管理しているサッカー場のＵＡＭ＃２に対して，ユーザが利用したいという条件にあったＵＡＭ＃２の管理するコンピューティング資源であるビデオカメラの利用状況を問い合わせる。ＵＡＭ＃２はユーザの提示した条件に当てはまるビデオカメラに対して，状況の照会を行う。ビデオカメラ＃１がユーザの提示した利用条件に合致しているので，利用可能であることをＵＡＭ＃２が判断し，その結果をＭｅＭに回答する。これと同時にＭｅＭは，ユーザのユビキタスＩＣカード内のユーザプロファイルや，ビデオカメラの置かれている場所の情報，ビデオカメラの使用可能な機能，利用可能期間などをもとに，利用トークンを生成しユーザの持つＵＡＭ＃１上のユビキタスＩＣカードにダウンロードする。コンピューティング資源を利用する際のユーザプロファイルには，ユーザがコンピュータ資源を利用する際に支払う対価となる金額なども含まれる。
　
（4）サッカー場にある資源の利用
ユーザは，サッカーの試合開始時間に合わせ，ＩＣカードリーダライタを持つＰＣとユビキタスＩＣカードを通信させ，自室のＵＡＭ＃１を介して，ＭｅＭおよびサッカー場にあるＵＡＭ＃２に対して，ＩＣカード内に格納された利用権を示すトークンを提示し，実際のサッカー場にあるＵＡＭ＃２の管理するビデオカメラ＃１を利用する。ユーザは自室にあるＴＶにサッカー場にあるビデオカメラ＃１が撮影している映像を映し出し，ＰＣを用いてカメラの雲台やズーム機能を操作しながらサッカーのゲームを視聴する。また，すでに自室内にあり利用する権利を得ているビデオデッキ内のメディアに対して，撮影したコンテンツを録画することも可能である
　
（２）以上によると，引用例には
　
「コンピューティング資源，ユビキタスエリアマネージャ（ＵＡＭ），メディオマネージャ（ＭｅＭ），ユビキタスＩＣカードの各コンポーネントから構成されるユビキタスＩＣカードネットワークのシステムにおいて，
　前記コンピューティング資源は，「資源ＩＤ」，「資源の名称」，「資源の種別」，「資源の持つ機能」，「資源の利用条件」など資源を識別し管理するために必要な資源情報を管理する機能と，ＵＡＭと通信するための通信機能を所有し，
　前記ユビキタスエリアマネージャ（ＵＡＭ）は，例えば，ユーザのオフィスや出張先のオフィス，ホテルの客室などの局所的空問単位に存在し，その中に存在するコンピューティング資源を管理するために存在するものであって，管理対象とする個々のコンピューティング資源の資源情報を管理する機能，自らの空間自体を管理する空間情報管理機能を持ち，また，ＵＡＭの管理対象であるコンピューティング資源の利用権限を定義する情報も併せて管理し，
　前記メディオマネージャ（ＭｅＭ）は，複数存在するＵＡＭと通信を行い，コンピューティング資源やサービスに関する利用権（トークン）の管理，コンピューティング資源やサービスの検索，ＵＡＭ間でのコンピューティング資源やサービスの利用制御中継を実施する機構であり，
　前記ユビキタスＩＣカードは，ＩＣカードリーダライタを持つコンピューティング資源を介して，ＵＡＭ，ＭｅＭ，サービスサーバと通信を行うとともに，ＩＣカード内にはユーザがコンピューティング資源やサービスサーバを利用するための利用権となるトークンや，ユーザのＩＤやユーザの所属組織等から構成されるユーザプロファイルを管理する機能を持ち，また，ユーザがコンピューティング資源やサービスサーバを利用した際のコンテキストを保持するユーザコンテキスト機能を持つものであり，
　ユーザが自室からサッカー場にあるカメラを制御し，自宅のビデオデッキ内のメディアに映像を録画する場合には，
　ユーザはＩＣカードと通信しているＰＣから，ＵＡＭ＃１を介してＭｅＭに対してサッカー場のビデオカメラの利用申請を行い，この際，ユーザはＭｅＭ内にあるＵＡディレクトリサービスを用いて利用したい資源を検索し，ＭｅＭはサッカー場の複数のビデオカメラを管理しているサッカー場のＵＡＭ＃２に対して，ユーザが利用したいという条件にあったＵＡＭ＃２の管理するコンピューティング資源であるビデオカメラの利用状況を問い合わせ，ＵＡＭ＃２はユーザの提示した条件に当てはまるビデオカメラに対して，状況の照会を行い，ビデオカメラ＃１がユーザの提示した利用条件に合致しているので，利用可能であることをＵＡＭ＃２が判断し，その結果をＭｅＭに回答し，これと同時にＭｅＭは，ユーザのユビキタスＩＣカード内のユーザプロファイルや，ビデオカメラの置かれている場所の情報，ビデオカメラの使用可能な機能，利用可能期間などをもとに，利用トークンを生成しユーザの持つＵＡＭ＃１上のユビキタスＩＣカードにダウンロードし，前記ダウンロードは，ユーザが，ＭｅＭに対してＵＡＭ＃２の管理するコンピューティング資源の利用権の要求を行い，ＭｅＭが内部にあるトークンマネージャを用い，コンピューティング資源を利用できるユーザであることを確認することで，利用権であるトークンをユビキタスＩＣカード内にダウンロードするものであり，
　ユーザは，サッカーの試合開始時間に合わせ，ＩＣカードリーダライタを持つＰＣとユビキタスＩＣカードを通信させ，自室のＵＡＭ＃１を介して，ＭｅＭおよびサッカー場にあるＵＡＭ＃２に対して，ＩＣカード内に格納された利用権を示すトークンを提示し，ＭｅＭは，要求のあったトークンが正当であるかを，ＵＡＭ＃２と協調して確認し，正当であればユーザが実際のサッカー場にあるＵＡＭ＃２の管理するビデオカメラ＃１を利用することができ，ユーザは自室にあるＴＶにサッカー場にあるビデオカメラ＃１が撮影している映像を映し出し，ＰＣを用いてカメラの雲台やズーム機能を操作しながらサッカーのゲームを視聴し，また，すでに自室内にあり利用する権利を得ているビデオデッキ内のメディアに対して，撮影したコンテンツを録画することも可能であるユビキタスＩＣカードネットワークのシステム。」（以下「引用発明」という。）
　
　が記載されていると認められる。
　
４　対比
　
（１）本願補正発明と引用発明とを比較すると
　
（ア）引用発明の「コンピューティング資源」，「ユビキタスエリアマネージャ」，「メディオマネージャ」，「ユビキタスＩＣカード」は，それぞれ本願補正発明の「デバイス」，「局所空間管理機構」，「仲介機構」，「ＩＣカード」に相当する。
　そうすると，引用発明は，本願補正発明と同様に「局所空間内に存在する種々のデバイスと通信を行い，これらのデバイスとデバイス上で動作するサービスを管理する局所空間管理機構と，様々な局所空間管理機構と通信を行い，ある局所空間内のユーザが他の局所空間内のデバイスとデバイス上で動作するサービスを利用可能とする仲介機構とを具えるネットワークシステム」に関するものであるといえる。
（イ）引用発明は，ユーザが，ＩＣカードと通信しているＰＣからＵＡＭ＃１を介してＭｅＭに対してサッカー場のビデオカメラの利用申請を行うことで，その利用申請に応じた利用権を示すトークンを生成させるものである。
　ここで，引用発明において，ユーザが利用申請を行う当該ビデオカメラは，自宅のビデオデッキと連携させて利用するものであるから，「ユーザが連携して利用したい」デバイスであると認められ，また，引用発明では，当該利用権を示すトークンは，ビデオカメラの利用可能期間などをもとに生成されているから，「局所空間内のデバイスとデバイス上で動作するサービスの利用可能時間等を含んだ」利用権を示すものであると認められる。また，引用発明においては，かかる利用申請に応じて，サッカー場のユビキタスエリアマネージャであるＵＡＭ＃２が，ビデオカメラがユーザの希望した利用条件に合致して利用可能かどうかを判断しているから，かかる利用申請に，ユーザが希望する利用条件が含まれていることは，明らかである。
　そうすると，後記する相違点はあるものの，引用発明は，本願補正発明と，「ある局所空間内のＩＣカード使用可能なデバイスが，ＩＣカードを保持するユーザが連携して利用したい局所空間内のデバイスを指示する情報と該ユーザが希望する利用条件を，その局所空間内の局所空間管理機構を介して，仲介機構に対して送信し，前記仲介機構に対して利用権を示すトークンの生成を要求する手順」を有する点において共通している。
（ウ）引用発明は，ＭｅＭが，利用者からのサッカー場のビデオカメラの利用申請に応答して，当該ビデオカメラを管理するサッカー場のＵＡＭ＃２に対し，利用状況の問い合わせを行うものである。そして，引用発明では，かかるＭｅＭからの問い合わせに応答して，ＵＡＭ＃２が，ビデオカメラがユーザの希望した利用条件に合致して利用可能かどうかを判断しているから，かかるＭｅＭからの問い合わせは，ユーザが希望する利用条件を条件情報とするものであることは，明らかである。
　そうすると，後記する相違点はあるものの，引用発明は，本願補正発明と「仲介機構が利用権を示すトークンの生成の要求に応答して，前記利用権を示すトークンの生成の要求で指示された局所空間内のデバイスを管理する局所空間管理機構に対して，ユーザの希望する利用条件を条件情報として，前記利用権を示すトークンの生成に必要なデバイスまたはデバイス上で動作するサービスの利用申請を送る手順」を有する点において共通している。
（エ）引用発明では，ＵＡＭ＃２が，ＭｅＭからの問い合わせに応答して，ビデオカメラがユーザの希望した利用条件に合致して利用可能であるかどうかを判断している。
　そうすると，後記する相違点はあるものの，引用発明は，本願補正発明と「局所管理機構が，利用申請に応答して，条件情報を用いて，ユーザが希望する利用条件において，利用申請されたデバイスまたはデバイス上で動作するサービスが，利用可能か否か確認」する手順を有する点において共通している。
（オ）引用発明では，ＵＡＭ＃２が，ビデオカメラが利用可能であると判断すると，その結果をＭｅＭに回答している。ここで，引用発明では，ＭｅＭが，その回答を受けて，ビデオカメラの使用可能な機能や利用可能期間などをもとにトークンの生成を行うとしているから，かかるＵＡＭ＃２からの回答には，どのデバイスのどのサービスがどの期間利用可能であるか等の情報が含まれていることは，明らかである。
　そうすると，引用発明は，本願補正発明と同様に「利用可能であれば，該デバイスまたはデバイス上で動作するサービスのＩＤ情報，サービス情報および利用可能時間等の利用条件情報を含む利用権を取得して，仲介機構に送る手順」を有しているといえる。
（カ）引用発明は，ユーザが，ＭｅＭに対してコンピューティング資源の利用権の要求を行うと，ＭｅＭは，コンピューティング資源を利用できるユーザであることを確認し，利用権であるトークンをユビキタスＩＣカード内にダウンロードするものである。ここで，利用権であるトークンのダウンロードが，ユーザのいるエリアのユビキタスエリアマネージャであるＵＡＭ＃１を介して行われていることは明らかであり，また，ＭｅＭにおいてユーザの確認が行われている以上，かかるコンピューティング資源の利用権の要求がユーザに関する情報とともになされていることは，明らかである。
　そうすると，後記する相違点はあるものの，引用発明は，本願補正発明と「ＩＣカード使用可能なデバイスが，仲介機構に，ユーザ情報とともに，利用権を示すトークンの配信要求を送信すると，前記仲介機構が，該ユーザ情報の確認後に，局所空間管理機構を介して，生成された利用権を示すトークンを該デバイスに配信し，ＩＣカードが該デバイスにより該利用権を示すトークンを格納する手順」を有する点において共通している。
（キ）引用発明では，ユーザがＩＣカード内に格納された利用権を示すトークンを，自室のＵＡＭ＃１を介して，ＭｅＭおよびサッカー場にあるＵＡＭ＃２に対して提示すると，ＭｅＭは，トークンが正当であるかをＵＡＭ＃２と協調して確認し，確認がとれると，当該ユーザがサッカー場にあるＵＡＭ＃２の管理するビデオカメラを操作・利用できるようにするものである。
　そうすると，後記する相違点はあるものの，引用発明は，本願補正発明と「ＩＣカード使用可能なデバイスが，利用権を示すトークンを格納しているＩＣカードから，利用権を示すトークンを構成する局所空間内のデバイスおよびデバイス上で動作するサービスの利用権に基づき，局所空間管理機構に対し，サービス利用要求を行うと，該局所空間管理機構が該サービス利用要求を前記仲介機構へ送信し，前記仲介機構は，該利用権を確認し，利用可能な場合に利用許可を局所空間管理機構を介してデバイスに配信することにより，デバイスをユーザが該利用権を示すトークンにしたがって操作することを可能とする手順」を有する点において共通している。
　
（２）一致点と相違点について
　
　そうすると，本願補正発明と引用発明の一致点と相違点は，次のとおりと認められる。
　
ア　一致点
　
「局所空間内に存在する種々のデバイスと通信を行い，これらのデバイスとデバイス上で動作するサービスを管理する局所空間管理機構と，様々な局所空間管理機構と通信を行い，ある局所空間内のユーザが他の局所空間内のデバイスとデバイス上で動作するサービスを利用可能とする仲介機構とを具えるネットワークシステムにおいて，
　ある局所空間内のＩＣカード使用可能なデバイスが，ＩＣカードを保持するユーザが連携して利用したい局所空間内のデバイスを指示する情報と該ユーザが希望する利用条件を，その局所空間内の局所空間管理機構を介して，仲介機構に対して送信し，前記仲介機構に対して利用権を示すトークンの生成を要求する手順と，
　前記仲介機構が前記利用権を示すトークンの生成の要求に応答して，前記利用権を示すトークンの生成の要求で指示された局所空間内のデバイスを管理する局所空間管理機構に対して，ユーザの希望する利用条件を条件情報として，前記利用権を示すトークンの生成に必要なデバイスまたはデバイス上で動作するサービスの利用申請を送る手順と，
　前記局所管理機構が，前記利用申請に応答して，条件情報を用いて，ユーザが希望する利用条件において，利用申請されたデバイスまたはデバイス上で動作するサービスが，利用可能か否か確認し，利用可能であれば，該デバイスまたはデバイス上で動作するサービスのＩＤ情報，サービス情報および利用可能時間等の利用条件情報を含む利用権を取得して，仲介機構に送る手順と，
　前記ＩＣカード使用可能なデバイスが，仲介機構に，ユーザ情報とともに，利用権を示すトークンの配信要求を送信すると，前記仲介機構が，該ユーザ情報の確認後に，局所空間管理機構を介して，生成された利用権を示すトークンを該デバイスに配信し，ＩＣカードが該デバイスにより該利用権を示すトークンを格納する手順と，
　ＩＣカード使用可能なデバイスが，利用権を示すトークンを格納しているＩＣカードから，利用権を示すトークンを構成する局所空間内のデバイスおよびデバイス上で動作するサービスの利用権に基づき，局所空間管理機構に対し，サービス利用要求を行うと，該局所空間管理機構が該サービス利用要求を前記仲介機構へ送信し，前記仲介機構は，該利用権を確認し，利用可能な場合に利用許可を局所空間管理機構を介してデバイスに配信することにより，デバイスをユーザが該利用権を示すトークンにしたがって操作することを可能とする手順と，を具備することを特徴とするサービス連携方法。」
　
イ　相違点
　
［相違点１］　本願補正発明では，ユーザが連携して利用したいデバイスまたはサービス利用権の取得が，利用申請に複数の局所空間内のデバイスを含ませて一度の要求で行われるのに対し，引用発明では，ユーザが連携して利用したいデバイスまたはサービスの利用権の取得が，一度の要求で行われることについては明らかでない点。
　
［相違点２］　本願補正発明では，ユーザが希望する利用条件が利用時間であるのに対し，引用発明では，ユーザの希望する利用条件が具体的にどのようなものであるのかが明らかでない点。
　
［相違点３］　本願補正発明では，仲介機構が，それぞれの局所空間管理機構から送られてきた利用権を収集して，これらの複数のデバイスとデバイス上で動作するサービスの利用権をまとめたサービスシナリオを生成してユーザに提供し，ユーザは，ＩＣカードに格納された，この利用権をまとめたサービスシナリオに基づいてサービスの利用要求を行っているが，引用発明では，ユーザが連携して利用したいデバイスの利用権をまとめてサービスシナリオとして生成することについては明らかでなく，ユーザは，ＩＣカードに格納された，個別の利用権を示すトークンに基づいてサービスの利用要求を行っている点。
　
［相違点４］　本願補正発明では，仲介機構に送信されるユーザ情報が，ユーザのＩＣカードから取得されたものであるが，引用発明では，どこから取得されたものであるのかが明らかでない点。
　
５　判断
　
（１）相違点１について
　
　ユーザがネットワーク上の複数のデバイスまたはサービスの利用申請を行うにあたり，まとめて一度の要求によりこれを行わせるようにすることは，当業者においては，周知の技術的事項にすぎない。これに関して，例えば，特開２００２−１１６８８９号公報には，ユーザがネットワーク上の複数のサービス資源の利用申請を行うにあたり，一括した一度の要求でこれを行うことを可能にすることが開示されている（特に段落【００６３】参照）。
　そうすると，引用発明において，ユーザが連携して利用したいデバイスの利用権の取得を，仲介機構に対して，まとめて一度の要求によって行うようにし，相違点１にかかる構成とすることも，当業者が適宜なし得たことといえる。
　
（２）相違点２について
　
　ユーザがネットワーク上のデバイスまたはサービスの利用申請を行うにあたり，利用申請に含ませる利用条件を利用時間とすることは，当業者が適宜選択し得る程度のことに過ぎない。これに関して，例えば，特開２００２−２１８３６１号公報には，ユーザがネットワーク上の共有資源の予約するにあたり，予約の申請のための予約要求データに，使用開始時刻と使用終了時刻を含ませることが開示されている（特に段落【００８０】，【００８２】参照）。
　そうすると，引用発明において，予約申請にあたり，ユーザが希望する利用条件を利用時間として，相違点２にかかる構成とすることは，当業者が適宜なし得たことといえる。
　
（３）相違点３について
　
　ネットワーク上の複数のデバイスまたはサービスを連携させてユーザに利用させるにあたり，ユーザが当該複数のデバイスまたはサービスを連携して利用するために必要な情報を，まとめてユーザに提供するように構成することは，当業者においては周知の技術的事項にすぎない。これに関して，原査定の拒絶理由に引用された，本願の出願日前に日本国内で頒布された刊行物である特開２００２−３４２２７７号公報には，ネットワーク上の複数のサービス資源を連携して利用するために必要な情報を，各サービス資源から取得するとともに，連携サーバによって，連携シナリオやアプリケーション情報としてまとめてユーザに提供することが開示されている（特に段落【００２４】参照）。
　そうすると，引用発明において，かかる周知の技術的事項を適用し，複数のデバイスまたはサービスを連携して利用するために必要な情報である各利用権を，仲介機構においてサービスシナリオとしてまとめたうえでユーザに提供するように構成することは，当業者においては適宜なし得ることといえる。そして，このように利用権をサービスシナリオとして提供した場合，利用者にこの利用権をまとめたサービスシナリオに基づいてサービスの利用要求を行うようにさせることは，当業者においては自然な発想といえる。
　以上のことから，引用発明において，相違点３にかかる構成とすることは，当業者が適宜なし得たことといえる。
　
（４）相違点４について
　
　引用発明におけるＩＣカードは，ユーザのＩＤ等のユーザプロファイルを管理する機能をもつものである。とすると，ユーザを確認するために仲介機構に送られるユーザ情報として，ＩＣカードに格納されたこれらのユーザプロファイルを利用するように構成することは，当業者においては自然な発想といえる。
　そうすると，引用発明において，相違点４にかかる構成とすることは，当業者が適宜なし得たことといえる。
　
（５）結論
　
　以上のとおり，相違点１〜４に係る構成は，いずれも，当業者が容易に想到し得たものである。そして，本願補正発明の効果も，当業者が，予測できる範囲のものである。
　したがって，本件補正発明は，引用発明及び周知の技術的事項に基づいて当業者が容易に発明をすることができたものであるから，特許法第２９条２項の規定により，特許を受けることができない。
　
　以上の次第で，本件補正は，平成１８年法律第５５号改正附則３条１項によりなお従前の例とされる同法による改正前の特許法１７条の２第５項において準用する同法第１２６条５項の規定に違反するので，同法１５９条１項において読み替えて準用する同法５３条１項の規定により，却下すべきものである。
　
第３　本願発明
　
１　本願発明の内容
　
　以上のとおり，本件補正（平成１９年８月３０日に提出された手続補正書による補正）は，却下されたので，請求項１を引用する請求項２を引用する請求項３に係る発明（以下「本願発明」という。）は，本件補正前の請求項３（平成１８年１１月２７日に提出された手続補正書により補正された請求項３）に記載されたとおりのものである。
  
２　引用発明の内容
　
　引用発明については，前記第２，３，（２）に記載したとおりである。
　
３　対比・判断
　
　前記第２，２で述べたように，本願補正発明は，本願発明に限定的減縮を加えたものである。逆に言えば，本願補正前の発明（本願発明）は，本願補正発明から，この限定をなくしたものである。
　そうすると，本願発明の構成要件をすべて含み，これより限定したものである本願補正発明が，前記第２，５において検討したとおり，引用発明及び周知の技術的事項に基づいて，当業者が容易に発明をすることができたものであるから，本願発明も，同様の理由により，当業者が容易に発明をすることができたものということができる。
　
４　むすび
　
　以上のとおり，本願発明は，引用発明及び周知の技術的事項に基づいて当業者が容易に発明をすることができたものであるから，特許法２９条２項の規定により，特許を受けることができない。
　
　よって，結論のとおり審決する。